(57)【要約】【課題】拡散機能による明るさ、解像度、コントラストの低下を防止し、映像品質の優れた光透過型スクリーンを提供する。【解決手段】光透過性平板基材１への入射映像信号光線を集光及び透過させる光拡散部４を有する光透過型スクリーン１２において、光透過性平板基材１の映像信号光入射側に垂直方向を長手方向として並列して設けられる断面が２等辺三角形状の立体遮光層２と、光透過性平板基材１上に水平方向を長手方向として並列して設けられルシリンドリカルレンズ３３とを有し、立体遮光層２により、水平方向に反射拡散された映像信号光が、シリンドリカルレンズ３３により垂直方向に集光拡散される。【選択図】図１
2008096713.tif 000002
【特許請求の範囲】
【請求項１】
光透過性平板基材への入射映像信号光線を集光及び透過させる光拡散部を有する光透過型スクリーンにおいて、
前記光透過性平板基材の映像信号光入射側に垂直方向を長手方向として並列して設けられる断面が２等辺三角形状の立体遮光層と、
前記光透過性平板基材上に水平方向を長手方向として並列して設けられルシリンドリカルレンズとを有し、
前記立体遮光層により、水平方向に反射拡散された映像信号光が、前記シリンドリカルレンズにより垂直方向に集光拡散されることを特徴とする光透過型スクリーン。
【請求項２】
前記水平方向を長手方向として並列して設けられるシリンドリカルレンズは、
前記並列して設けられる立体遮光層の間の光透過部分に水平方向を長手方向として並列して設けられることを特徴とする請求項１に記載の光透過型スクリーン。
【請求項３】
前記水平方向を長手方向として並列して設けられるシリンドリカルレンズは、
前記光透過性平板基材の映像信号光出射側に水平方向を長手方向として並列して設けられることを特徴とする請求項１に記載の光透過型スクリーン。
【請求項４】
光透過性平板基材に一体成形される水平方向及び垂直方向に光拡散する光拡散部の製造方法であって、
前記光透過性平板基材の一面上にシリンドリカルレンズを押し出し成形にて並列して形成し、
前記シリンドリカルレンズ上に該レンズの長さ方向と直角方向に断面が２等辺三角形状の立体遮光層をストライプ状に平型成形にて形成する事を特徴とする光拡散部の製造方法。
【請求項５】
光透過性平板基材に一体成形される水平方向及び垂直方向に光拡散する光拡散部の製造方法であって、
前記光透過性平板基材の一面上にシリンドリカルレンズを押し出し成形にて並列して形成し、
前記光透過性平板基材の他面に前記シリンドリカルレンズの長さ方向と直角方向に断面が２等辺三角形状の立体遮光層をストライプ状に平型成形にて形成する事を特徴とする光拡散部の製造方法。
【発明の詳細な説明】
【技術分野】
【０００１】
本発明は、背面投射式のテレビやプロジェクタ等に用いられ、映像光を拡散させて透過する機能を持つ光透過型スクリーン及び光拡散部の製造方法に関するものである。
【背景技術】
【０００２】
背面投射式のテレビやプロジェクタの一般的な構成を図８に示す。プロジェクションエンジン１０により生成された映像信号光は、複数枚のミラー１１とプロジェクションレンズ１５により、光透過型スクリーン１２に投影される。
【０００３】
背面投射式のテレビやプロジェクタ等に用いられる光透過型スクリーン１２の一般的な構成を図９に示す。図９（ａ）は、平面的な形状の遮光層８を用いた光透過型スクリーン１２の一般的な構成図を示し、図９（ｂ）は、断面が２等辺三角形状をした立体遮光層２を用いた光透過型スクリーン１２の一般的な構成図を示す。光透過型スクリーン１２は図９（ａ）、図９（ｂ）に示すように一対のレンズシート１３とフレネルレンズシート１４の組み合わせにより構成されている。プロジェクションエンジン１０によりフレネルレンズシート１４に対して拡散斜光する方向に投影される映像光を、フレネルレンズシート１４によりレンズシート１３に対してほぼ垂直に入光するように補正される。さらにレンズシート１３により、映像光を結像及び拡散し、映像を視聴者側で鑑賞する。
【０００４】
レンズシート１３は、レンチキュラーレンズ３等の複数のレンズの配列により映像光を結像し、所定の範囲に映像光を拡散させる。しかし凸レンズ形状のレンチキュラーレンズ３や、断面が２等辺三角形状をした立体遮光層２を水平方向に並設された構成のレンズシート１３においては、垂直方向に映像光を拡散することは出来ない。
【０００５】
拡散機能を付与するための方法としては、光透過性樹脂により成形された光透過性平板基材１に、光透過性平板基材１とは異なる屈折率の光拡散性微粒子１６を分散配合することが公知であり、光透過型スクリーン１２としては、一般的に用いられている。
【０００６】
光拡散性微粒子１６を用いて拡散特性を得るための具体的な手段として、レンチキュラーレンズ３が設けられた光透過性平板基材１の内部に光拡散性微粒子１６を１種類、または２種類以上を配合し、垂直方向に対しても映像光を拡散し、視野角特性を改善する方法が提案されている（例えば、特許文献１参照。）。
【０００７】
しかし、図９（ａ）、図９（ｂ）に示す上記従来の透過型スクリーン１２においては、光透過性平板基材１に分散配合された光拡散性微粒子１６を多用することにより、映像光が光拡散微粒子１６に乱反射し解像度及び明るさが低下するという課題、さらに外光が光拡散性微粒子１６に乱反射することにより、コントラストが著しく悪化するという課題を有している。
【０００８】
前記解像度の低下及びコントラストの低下を改善し、視野角特性を向上する方法として、垂直レンチキュラシート、水平レンチキュラシートの２枚のレンチキュラーシートを備えて、水平と垂直の視野角を別々のレンチキュラシートで拡大する方法が提案されている。
【０００９】
シリンドリカルレンズが形成された２枚のレンチキュラーシートで視野角を拡大する第１の従来例を図１０に示す。図１０において、映像信号光入射面側から順に、フレネルレンズシート１４、水平レンチキュラシート３０、垂直レンチキュラシート３１が備えてある。
【００１０】
垂直レンチキュラシート３１には、映像信号光入射面側に水平方向を長手方向とする垂直シリンドリカルレンズ３３が並列配列されておりと、映像光出射面側に水平方向を長手方向とする遮光層８が設けられている。
【００１１】
水平レンチキュラシート３０には、映像信号光入射面側に垂直方向を長手方向とする水平シリンドリカルレンズ３２が並列配列されており、映像光出射面側に垂直方向を長手方向とする遮光層パターン８が設けられている。
【００１２】
映像信号光側から入射された映像信号光は、フレネルレンズシート１４により、水平レンチキュラーシート３０に対して、ほぼ垂直な光に偏向され、水平シリンドリカルレンズ３２が並列配列された水平レンチキュラーシート３０に入射する。水平レンチキュラーシート３０に入射した映像信号光は、水平シリンドリカルレンズ３２により、水平方向に集光拡散し、水平方向の視野角を拡大する。
【００１３】
さらに垂直シリンドリカルレンズ３３が並列配列された垂直レンチキュラーシート３１により、垂直方向に集光拡散し、垂直方向にも視野角を拡大する。（例えば、特許文献２参照。）
次に、立体遮光層が形成された２枚のレンチキュラーシートで視野角を拡大する第２の従来例を図１１に示す。
【００１４】
図１１において、映像信号光入射面側から順に、
フレネルレンズシート１４、垂直レンチキュラシート３１、水平レンチキュラシート３０を備えてある。
【００１５】
垂直レンチキュラシート３１には、水平方向を長手方向とする断面が２等辺三角形状をした垂直立体遮光層３５が並列配列されている。
【００１６】
水平レンチキュラシート３０には、垂直方向を長手方向とする断面が２等辺三角形状をした水平立体遮光層３４が並列配列されている。
【００１７】
映像信号光側から入射された映像信号光は、フレネルレンズ１４により垂直レンチキュラーシート３１に対して、ほぼ垂直な光に偏向され、断面が２等辺三角形状をした垂直立体遮光層３５が並列配列された垂直レンチキュラーシート３１に入射する。垂直レンチキュラーシート３１に入射した映像信号光は、断面が２等辺三角形状をした垂直立体遮光層３５により、垂直方向に反射拡散し、垂直方向の視野角を拡大する。
【００１８】
さらに断面が２等辺三角形状をした水平立体遮光層３４が並列配列された水平レンチキュラーシート３０により、水平方向に反射拡散し、水平方向にも視野角を拡大する。（例えば、特許文献３参照。）
【特許文献１】特開平２−１５７７３５号公報
【特許文献２】特開平８−１０１４５９号公報
【特許文献３】特開２００４−４１４８号公報
【発明の開示】
【発明が解決しようとする課題】
【００１９】
図１２に示すシリンドリカルレンズが形成された２枚のレンチキュラーシートで視野角を拡大する第１の従来例においては、
水平レンチキュラシート３０と垂直レンチキュラシート３１とを映像信号光入射側にシリンドリカルレンズを向けて順に重ねて構成してある光透過型スクリーン１２は、垂直レンチキュラシート３１の垂直シリンドリカルレンズ３３によって、入射光を屈折拡散させることができるため、拡散微粒子の支援を得ること無く垂直視野角を大きく拡大することができる。
【００２０】
また、水平と垂直とで別々のシートの片面にシリンドリカルレンズを並列配列してあるため、水平と垂直の視野角を拡大することができる。しかしながら、図１２に示す第１の従来例の構成では、２枚のレンチキュラシートを使用するため、光透過効率が低下し、さらに部材コスト及び工数が増加するためにコスト競争力が低下する。また、水平レンチキュラシート３０の映像光出射面に当たる遮光層８面と、垂直レンチキュラシート３１の映像光入射面に当たる垂直シリンドリカルレンズ３３とを重ね合わせるため、その接触界面において光の干渉やシリンドリカル面での反射による透過率損失が発生すると課題を有していた。
【００２１】
図１３に示す、断面が２等辺三角形状をした立体遮光層が形成された２枚のレンチキュラーシートで視野角を拡大する第２の従来例においても、図１２に示すシリンドリカルレンズで形成された２枚のレンチキュラーレンズを用いた第１の従来例と同様に、２枚のレンチキュラーシートを利用するために、映像信号光の透過効率が低下し、さらには部材コスト及び工数が増加し、コスト競争力が低下するという課題を有していた。
【００２２】
本発明は、前記従来の課題を解決するもので、光透過型スクリーン１２において、映像信号光の透過効率に優れ、水平及び垂直方向によらず視野角を変えながら映像を観察した場合でも観察者が違和感を覚えることのない品質の高い光透過型スクリーンを安価に提供することを目的とする。
【課題を解決するための手段】
【００２３】
前記従来の課題を解決するために、本発明の光透過型スクリーンは、光透過性平板基材への入射映像信号光線を集光及び透過させる光拡散部を有する光透過型スクリーンにおいて、前記光透過性平板基材の映像信号光入射側に垂直方向を長手方向として並列して設けられる断面が２等辺三角形状の立体遮光層と、前記光透過性平板基材上に水平方向を長手方向として並列して設けられルシリンドリカルレンズとを有し、前記立体遮光層により、水平方向に反射拡散された映像信号光が、前記シリンドリカルレンズにより垂直方向に集光拡散されることを特徴としたものである。
【００２４】
また、本発明の光拡散部の製造方法は、光透過性平板基材に一体成形される水平方向及び垂直方向に光拡散する光拡散部の製造方法であって、前記光透過性平板基材の一面上にシリンドリカルレンズを押し出し成形にて並列して形成し、前記シリンドリカルレンズ上に該レンズの長さ方向と直角方向に断面が２等辺三角形状の立体遮光層をストライプ状に平型成形にて形成する事を特徴としたものである。
【００２５】
また、本発明の光拡散部の製造方法は、光透過性平板基材に一体成形される水平方向及び垂直方向に光拡散する光拡散部の製造方法であって、前記光透過性平板基材の一面上にシリンドリカルレンズを押し出し成形にて並列して形成し、前記光透過性平板基材の他面に前記シリンドリカルレンズの長さ方向と直角方向に断面が２等辺三角形状の立体遮光層をストライプ状に平型成形にて形成する事を特徴としたものである。
【発明の効果】
【００２６】
本発明は、前記従来の課題を解決するもので、本発明の透過型スクリーンによれば、映像信号光の透過効率に優れ、水平及び垂直方向によらず視野角を変えながら映像を観察した場合でも観察者が違和感を覚えることのない品質の高い光透過型スクリーンを少ない部材により低コストで実現することが出来る。
【発明を実施するための最良の形態】
【００２７】
以下に、本発明の光透過型スクリーンの実施の形態を図面とともに詳細に説明する。
【実施例１】
【００２８】
図１は、本発明の実施例１における光透過型スクリーンの構成図を示したものである。
光透過型スクリーン１２は、フレネルレンズシート１４と、光透過性平板基材１により構成されている。フレネルレンズシート１４を映像信号光入射側に、光透過性平板基材１を観察者側に向けて配置される。
【００２９】
フレネルレンズシート１４は、映像信号光出射面側に同心円状に形成された断面鋸歯状のフレネルレンズを備えており、投射レンズから出射された映像信号光をフレネルレンズによる光屈折により、光透過性平板基材１に対してほぼ垂直光に変換する機能を有する。
【００３０】
光透過性平板基材１は、映像光入射面側に光拡散部４が構成されている。光拡散部４は、映像光入射面側に垂直方向を長手方向として複数並列配列された断面が２等辺三角形上の水平立体遮光層３４と水平方向を長手方向とする垂直シリンドリカルレンズ３３で形成されている。
【００３１】
次に、光拡散部４について、図２に示す模式図を用いて説明を行う。光拡散部４は、光透過性平板基材１の映像信号光入射面側に垂直方向を長手方向として複数並列配列された断面が２等辺三角形状の水平立体遮光層３４がストライプ状に設けてあり、フレネルレンズシート１４によって光拡散部４に対してほぼ垂直光となった映像信号光を水平方向にのみ反射拡散する機能を有する。立体遮光層３４に入射した画像信号光は、立体遮光層３４の傾斜面で全反射し即ち、水平方向に拡散した画像信号光を開口部となる垂直シリカドルレンズ部で透過し、光透過性平板基板１中の拡散粒子１６にて水平方向に拡散する。
【００３２】
同じく光透過性平板基材１の映像光入射面側のストライプ状に配列された水平立体遮光層３４の間の光透過部分には、水平方向を長手方向とする垂直シリンドリカルレンズ３３が形成されている。この垂直シリンドリカルレンズ３３は、垂直方向に複数並列配列されており、入射する映像信号光を垂直方向に集光拡散する機能を有する。
【００３３】
即ち、水平立体遮光層３４の傾斜部で全反射し、水平方向に反射拡散した映像信号光が、開口部となる垂直シリンドリカルレンズ３３を透過し、さらに垂直方向にも集光拡散する。
【００３４】
光透過性平板基材１に光拡散性微粒子１６が分散配合されている場合には、水平立体遮光層３４と垂直シリンドリカルレンズ３３により水平と垂直方向に拡散された画像信号光が光拡散性微粒子１６により、さらに全方位方向に拡散される。水平立体遮光層３４と垂直シリンドリカルレンズ３３により水平と垂直方向に拡散されるために、光拡散性微粒子が分散配合されていない光透過性平板基材１を用いることも可能である。
【００３５】
断面が２等辺三角形状の水平立体遮光層３４は、光遮光性あるいは光吸収性材料からなり、金型成形により光透過性平板基材１の映像信号光入射側に成形する。
【００３６】
映像信号光に対する解像度に対して、レンズの干渉によるモアレの発生を減少するため、レンズ系は、通常映像信号の解像度に対して２倍から５倍の解像度が要求される。従って、映像信号光に対して光拡散部４の解像度が干渉してモアレが発生することを低減するために、水平立体遮光層３４及び垂直シリンドリカルレンズ３３は、映像信号光よりも２倍から５倍程度の解像度が得られるよう配列されているのが一般的であり、５０μｍから３００μｍ程度のピッチでストライプ状に設けられている。
【００３７】
断面が２等辺三角形状の水平立体遮光層３４は、観察者側に対して幅広になるように成形されており、外光の反射を押さえて、画面のコントラストを向上させる機能も有し、例えばウレタン系の樹脂やエポキシ系の樹脂に黒色の顔料を分散配合させた材料を用いる。
【００３８】
水平方向を長手方向として並列して設けられた垂直シリンドリカルレンズ３３は、押し出し成形により形成することが出来る。垂直シリンドリカルレンズ３３は光透過性樹脂からなり、映像光を集光および拡散させる。
【００３９】
垂直シリンドリカルレンズ３３は、水平立体遮光層３４の光透過部となる開口部に形成され、水平立体遮光層３４と垂直シリカドルレンズ３３が、光透過性平板基材１の映像信号光入射面側に形成されている。
【００４０】
光透過性平板基材１は、基材として通常、屈折率１．４９のＰＭＭＡあるいは屈折率１．５２程度のＭＳ樹脂（スチレンとＭＭＡとの重合体）が用いられる。拡散性能をより高めるために必要に応じて光透過性平板基材１中には直径約１０μｍ以下の光拡散性微粒子１６が１０％以下の体積率で分散する事も可能である。この光拡散性微粒子１６としては、一般的に、屈折率が基材より高いＭＳ樹脂からなるビーズが用いられる。上記光透過性平板基材１及び光拡散微粒子１６に用いるＭＳ樹脂材料の屈折率は、屈折率約１．４９のＰＭＭＡ樹脂と、屈折率約１．５９のスチレン樹脂の配合比率を変えることで、１．４９から１．５９の範囲で調整可能である。このような光拡散性微粒子１６は、視野角特性を全方向に拡大する作用を有するが、透過率低下や、映像信号光の光拡散性微粒子１６による乱反射のために解像度やコントラストの低下を導くために、実施例１に示すように、水平と垂直の両方の視野角を垂直シリンドリカルレンズ３３、あるいは水平立体遮光層３４によって拡散を行う場合は、光透過性平板基材１中の光拡散性微粒子１６を除外できるとする事も可能である。
【００４１】
図３は、本発明の実施例１における光透過型スクリーン１２の光拡散部４の製造工程を示したものである。
まず第１の工程として押し出し成形の工程を、図３（ａ）に示す。押し出し成形は、２個のロール形状の金型よりなり、片方のロール形状金型５には、垂直シリンドリカルレンズ３３を形成するために、金型表面が曲面の凹部形状６になっている。
ＰＭＭＡあるいはＭＳ樹脂（スチレンとＭＭＡとの重合体）等の光透過性平板基材１の基材を、押し出し成形により、垂直シリンドリカルレンズ３３をストライプ状に、並列配列して成形される。
第２の工程として平型成形工程を、図３（ｂ）に示す。平型成形の平型７には、断面形状が２等辺三角形の立体遮光層を形成するために、平型表面が２等辺三角形の凹部形状９になっている。前記（ａ）の工程により、垂直シリンドリカルレンズ３３がストライプ状に並列配列して成形された光透過性平板基材１の基材に対して、２等辺三角形の凹部形状９に立体遮光層材料が充填された平型成形により、垂直シリンドリカルレンズ３３が成形された同一面側に、垂直シリンドリカルレンズ３３の配列とは直交方向に、断面形状が２等辺三角形の水平立体遮光層３４を、遮光層材料の成形工程による密着力により、ストライプ状に並列配列して成形される。
【００４２】
本発明の実施の形態１における垂直視野角特性の効果について、図７に示すシミュレーション結果に基づいて説明する。
【００４３】
図７は、実施の形態１における水平方向を長手方向とする垂直シリンドリカルレンズ３３の垂直視野角に対する効果についてのシミュレーション結果を示している。光拡散性微粒子１６の体積含有率を、２％と４％の場合で計算している。
【００４４】
図７に示すように、垂直シリンドリカルレンズ３３を備えた構成では、光拡散性微粒子１６の体積含有率４％の時、α角（正面の輝度の５０％になる視野角度）は１０．２度、光拡散性微粒子１６の体積含有率が２％の時、α角は８．０ｄｅｇとなり。また、光拡散性微粒子１６のみによる垂直視野角は、図７に示すように、光各線性備粒子１６の体積含有率４％の場合、α角６．５ｄｅｇ、光拡散性微粒子１６の体積含有率２％の場合、α角３．９ｄｅｇになり、垂直シリンドリカルレンズ３３を設け場合には、約１．５から２倍程度の視野角特性を向上させる効果があり、垂直シリンドリカルレンズ１６により、垂直方向の視野角を拡大する効果を確認することが出来た。
【実施例２】
【００４５】
以下に、本発明の実施例２における透過型スクリーンの実施の形態を図面とともに詳細に説明する。
【００４６】
図４は、本発明の実施例２における光透過型スクリーンの構成図を示したものである。光透過型スクリーン１２は、フレネルレンズシート１４と、光透過性平板基材１により構成されている。フレネルレンズシート１４を映像信号光入射側に、光透過性平板基材１を観察者側に向けて配置される。
【００４７】
フレネルレンズシート１４は、映像信号光出射面側に同心円状に形成された断面鋸歯状のフレネルレンズを備えており、投射レンズから出射された映像信号光をフレネルレンズによる光屈折により、光透過性平板基材１に対してほぼ垂直光に変換する機能を有する。
【００４８】
光透過性平板基材１は、映像光入射面側に水平方向光拡散部１７、映像光出射面側に垂直方向光拡散部１８構成されている。
【００４９】
水平方向光拡散部１７は、映像信号光入射面側に垂直方向を長手方向として複数並列配列された断面が２等辺三角形状の水平立体遮光層３４が形成されている。
【００５０】
垂直方向光拡散部１８は、映像信号光出射面側に水平方向を長手方向として複数並列配列された垂直シリンドリカルレンズ３３が形成されている。
【００５１】
次に、水平方向光拡散部１７と垂直方向光拡散部１８について、図５に示す模式図を用いて説明を行う。水平方向光拡散部１７は、光透過性平板基材１の映像信号光入射面側に垂直方向を長手方向として複数並列配列された断面が２等辺三角形状の水平立体遮光層３４がストライプ状に設けてあり、フレネルレンズシート１４によって水平方向拡散部１７に対してほぼ垂直光となった映像信号光を水平方向にのみ反射拡散する機能を有する。
【００５２】
垂直方向光拡散部１８は、光透過性平板基材１の映像信号光出射面側に水平方向を長手方向として複数並列配列された垂直シリンドリカルレンズ３３がストライプ状に設けてあり、映像信号光を垂直方向にのみ集光拡散する機能を有する。
【００５３】
即ち、水平立体遮光層３４の傾斜部で全反射し、水平方向に反射拡散した画像信号光が、光透過性平板基材１の映像信号光出射面側に形成された垂直シリンドリカルレンズ３３を透過し、さらに垂直方向にも集光拡散する。
【００５４】
光透過性平板基材１に光拡散性微粒子１６が分散配合されている場合には、水平立体遮光層３４により水平方向に反射拡散された映像信号光が光拡散性微粒子１６によりさらに全位方向に拡散される。さらに垂直方向に垂直シリンドリカルレンズ３３により拡散される。水平立体遮光層３４と垂直シリンドリカルレンズ３３により水平と垂直方向に拡散されるために、光拡散性微粒子が分散配合されていない光透過性平板基材１を用いることも可能である。
【００５５】
断面が２等辺三角形状の水平立体遮光層３４は、光遮光性あるいは光吸収性材料からなり、金型成形により光透過性平板基材１の映像信号光入射側に成形する。
【００５６】
映像信号光に対する解像度に対して、レンズの干渉によるモアレの発生を減少するため、レンズ系は、通常映像信号の解像度に対して２倍から５倍の解像度が要求される。従って、映像信号光に対して水平方向光拡散部１７及び垂直方向光拡散部１８の解像度が干渉してモアレが発生することを低減するために、水平立体遮光層３４及び垂直シリンドリカルレンズ３３は、映像信号光よりも２倍から５倍程度の解像度が得られるよう配列されているのが一般的であり、５０μｍから３００μｍ程度のピッチでストライプ状に設けられている。
【００５７】
断面が２等辺三角形状の水平立体遮光層３４は、観察者側に対して幅広になるように成形されており、外光の反射を押さえて、画面のコントラストを向上させる機能も有し、例えばウレタン系の樹脂やエポキシ系の樹脂に黒色の顔料を分散配合させた材料を用いる。
【００５８】
水平方向を長手方向として並列して設けられた垂直シリンドリカルレンズ３３は、押し出し成形により形成することが出来る。垂直シリンドリカルレンズ３３は光透過性樹脂からなり、映像光を集光および拡散させる。
【００５９】
垂直シリンドリカルレンズ３３は、光透過型平板基材１の映像光出射側に形成され、水平立体遮光層３４と共に光透過型平板基材１に一体で形成される。
【００６０】
光透過性平板基材１は、基材として通常、屈折率１．４９のＰＭＭＡあるいは屈折率１．５２程度のＭＳ樹脂（スチレンとＭＭＡとの重合体）が用いられる。拡散性能をより高めるために必要に応じて光透過性平板基材１中には直径約１０μｍ以下の光拡散性微粒子１６が１０％以下の体積率で分散する事も可能である。この光拡散性微粒子１６としては、一般的に、屈折率が基材より高いＭＳ樹脂からなるビーズが用いられる。上記光透過性平板基材１及び光拡散微粒子１６に用いるＭＳ樹脂材料の屈折率は、屈折率約１．４９のＰＭＭＡ樹脂と、屈折率約１．５９のスチレン樹脂の配合比率を変えることで、１．４９から１．５９の範囲で調整可能である。このような光拡散性微粒子１６は、視野角特性を全方向に拡大する作用を有するが、透過率低下や、映像信号光の光拡散性微粒子１６による乱反射のために解像度やコントラストの低下を導くために、実施例２に示すように、水平と垂直の両方の視野角を垂直シリンドリカルレンズ３３、あるいは水平立体遮光層３４よって拡散を行う場合は、光透過性平板基材１中の光拡散性微粒子１６を除外できるとする事も可能である。
【００６１】
図６は、本発明の実施例２における光透過型スクリーン１２の水平方向光拡散部１７および垂直方向光拡散部１８の製造工程を示したものである。
まず第１の工程として押し出し成形の工程を、図６（ａ）に示す。押し出し成形は、２個のロール形状の金型よりなり、片方のロール形状金型５には、垂直シリンドリカルレンズ３３を形成するために、金型表面が曲面の凹部形状６になっている。
ＰＭＭＡあるいはＭＳ樹脂（スチレンとＭＭＡとの重合体）等の光透過性平板基材１の基材を、押し出し成形により、垂直シリンドリカルレンズ３３をストライプ状に、並列配列して成形される。
第２の工程として平型成形工程を、図６（ｂ）に示す。平型成形の平型７には、断面形状が２等辺三角形の立体遮光層を形成するために、平型表面が２等辺三角形状の凹部形状９になっている。前記（ａ）の工程により、垂直シリンドリカルレンズ３３がストライプ状に並列配列して成形された光透過性平板基材１の基材に対して、２等辺三角形の凹部形状９に立体遮光層材料が充填された平型成形により、垂直シリンドリカルレンズ３３が成形された面とは反対の面側に、垂直シリンドリカルレンズ３３の配列とは直交方向に、断面形状が２等辺三角形の水平立体遮光層３４を、遮光層材料の成形工程による密着力により、ストライプ状に並列配列して成形される。
【産業上の利用可能性】
【００６２】
本発明にかかる光透過型スクリーンは、広い視野角を持ち解像度やコントラストの優れた映像品質を低コストで実現することができ、背面投射式のテレビやプロジェクタ等に用いられる透過型スクリーンに有用である。
【図面の簡単な説明】
【００６３】
【図１】本発明の実施例１における光透過型スクリーンの構成を模式的に示す図
【図２】本発明の実施例１における光透過型スクリーンの光拡散部を説明するための図
【図３】本発明の実施例１における光透過型スクリーンの製造工程を説明するための図
【図４】本発明の実施例２における光透過型スクリーンの構成を模式的に示す図
【図５】本発明の実施例２における光透過型スクリーンの光拡散部を説明するための図
【図６】本発明の実施例２における光透過型スクリーンの製造工程を説明するための図
【図７】本発明の実施例１における光透過型スクリーンの光学特性を説明するための図
【図８】背面投射式のテレビやプロジェクターの構成図
【図９】従来の光透過型スクリーンの構成を模式的に示す図
【図１０】２枚のレンチキュラーシートを用いた第１の従来例を示す斜視図
【図１１】２枚のレンチキュラーシートを用いた第２の従来例を示す斜視図
【符号の説明】
【００６４】
１  光透過性平板基材
２  立体遮光層
３  レンチキュラーレンズ
４  光拡散部
５  ロール形状金型
６  曲面の凹部形状
７  平型
８  遮光層
９  ２等辺三角形の凹部形状
１０  プロジェクションエンジン
１１  ミラー
１２  光透過型スクリーン
１３  レンズシート
１４  フレネルレンズシート
１５  プロジェクションレンズ
１６  光拡散性微粒子
１７  水平方向拡散部
１８  垂直方向拡散部
３０  水平レンチキュラーシート
３１  垂直レンチキュラーシート
３２  水平シリンドリカルレンズ
３３  垂直シリンドリカルレンズ
３４  水平立体遮光層
３５  垂直立体遮光層
【図１】
2008096713.tif 000003
【図２】
2008096713.tif 000004
【図３】
2008096713.tif 000005
【図４】
2008096713.tif 000006
【図５】
2008096713.tif 000007
【図６】
2008096713.tif 000008
【図７】
2008096713.tif 000009
【図８】
2008096713.tif 000010
【図９】
2008096713.tif 000011
【図１０】
2008096713.tif 000012
【図１１】
2008096713.tif 000013